(57)【要約】【課題】複数の電子部品を搭載した基板と、該基板を収納する基板ボックスを備えた遊技機において、搬送作業や取り付け作業時等の衝撃等によるＩＣタグの破損を防止する。【解決手段】第１ボックス部材２０に固有の識別情報が記憶された固有識別情報記憶手段（ＩＣタグ６１）を備え、第２ボックス部材４０に固有識別情報記憶手段を破壊するための破壊手段６２を備える。また、基板ボックス１２を閉鎖状態から開放状態に変換することに伴い、破壊手段６２が固有識別情報記憶手段を読み取り不能となるように破壊するようにする。【選択図】図５
2010063742.tif 000002
【特許請求の範囲】
【請求項１】
複数の電子部品を搭載した基板と、該基板を収納する基板ボックスと、を備えた遊技機において、
前記基板ボックスは、
第１ボックス部材と、第２ボックス部材と、を備え、
前記第１ボックス部材と前記第２ボックス部材とを接合して前記基板を収納する収納空間を形成する閉鎖状態と、
前記第１ボックス部材と前記第２ボックス部材との接合を解除して前記収納空間を開放した開放状態と、に変換できるように構成され、
前記第１ボックス部材に固有の識別情報が記憶された固有識別情報記憶手段を備え、
前記第２ボックス部材に前記固有識別情報記憶手段を破壊するための破壊手段を備え、
前記閉鎖状態から前記開放状態に変換することに伴い、前記破壊手段が前記固有識別情報記憶手段を読み取り不能となるように破壊するようにしたことを特徴とする遊技機。
【請求項２】
前記第１ボックス部材は、前記閉鎖状態から前記開放状態に変換する際に前記第１ボックス部材に対して前記第２ボックス部材が移動する方向である開放方向に沿った第１壁部を備え、該第１壁部に前記固有識別情報記憶手段を取り付ける取付部を備え、
前記第２ボックス部材は、前記破壊手段として前記閉鎖状態において前記取付部と対向する位置に、前記取付部へ向かって延出する破壊用突起部を備え、
前記取付部における前記破壊用突起部と対応する位置に、該破壊用突起部を受け入れる案内部を、前記開放方向に沿って延在するように形成し、
前記閉鎖状態において前記取付部には、前記閉鎖状態から前記開放状態に変換する際に前記破壊用突起部が通過する位置に、前記案内部を覆うように前記固有識別情報記憶手段を配設し、
前記基板ボックスを前記閉鎖状態から前記開放状態に変換する際に、前記破壊用突起部が前記案内部に沿って移動して前記取付部に取り付けられた前記固有識別情報記憶手段を読み取り不能となるように破壊するようにしたことを特徴とする請求項１に記載の遊技機。
【請求項３】
前記第２ボックス部材は、前記閉鎖状態で前記取付部が形成された前記第１ボックス部材の前記第１壁部を外側から覆う第２壁部を有し、
該第２壁部には、前記取付部における前記固有識別情報記憶手段の配設位置と対向する位置に、前記固有識別情報記憶手段を取り付けるための取付用開口部を、当該第２壁部を貫通するように形成し、
前記取付用開口部に、該取付用開口部を閉鎖して前記取付部に取り付けられた前記固有識別情報記憶手段を覆うカバー部材を着脱可能に取り付けたことを特徴とする請求項２に記載の遊技機。
【請求項４】
前記取付用開口部は、前記基板ボックスの外側へ向かって拡径するように形成されていることを特徴とする請求項３に記載の遊技機。
【請求項５】
前記取付用開口部は、前記破壊用突起部に対して前記開放方向側に形成されていることを特徴とする請求項４に記載の遊技機。
【請求項６】
前記案内部を、前記第１壁部を貫通するように複数形成し、
前記破壊用突起部は、
前記案内部を介して、前記第２ボックス部材から前記第１ボックス部材の内側へ延出する第１延出部と、
該第１延出部に連続し、該第１延出部が貫通する前記案内部以外の前記案内部を介して前記第１ボックス部材の内側から第２ボックス部材側へ延出する第２延出部と、を備えることを特徴とする請求項５に記載の遊技機。
【請求項７】
前記破壊用突起部は、
前記取付部側に突出し、前記開放状態への変換により前記固有識別情報記憶手段を破壊可能な突出状態と、
前記第２壁部側へ退縮し、前記開放状態への変換によっても前記固有識別情報記憶手段を破壊不能な退避状態と、に変換可能であり、付勢部材により前記突出状態となる方向に付勢されており、
前記破壊用突起部における前記取付用開口部側の側部に被係合部を形成し、
前記取付用開口部を閉鎖して前記取付部に取り付けられた前記固有識別情報記憶手段を覆う仮設カバー部材に、前記被係合部に係合する係合部を設け、
前記仮設カバー部材を、前記係合部が前記破壊用突起部の前記被係合部に係合した状態で前記取付用開口部に取り付けることで、前記破壊用突起部が退避状態に変換されるようにしたことを特徴とする請求項１から５の何れか一項に記載の遊技機。
【発明の詳細な説明】
【技術分野】
【０００１】
本発明は、複数の電子部品を搭載した基板と、該基板を収納する基板ボックスと、を備えた遊技機に関する。
【背景技術】
【０００２】
従来、遊技制御を行うＣＰＵ等、複数の電子部品を搭載した遊技制御基板を、複数のケース部材に分割構成される基板ボックスに収納するようにしており、また、この基板ボックスは、内包する遊技制御基板に対する不正行為を防止するため、かしめ等の止着手段により、強固に止着され、開放時にはその痕跡が残るような構造が採られている。また、現在では、上記遊技制御基板を内包した基板ボックスに、固有の識別情報を記憶したＩＣタグを貼付して、その識別情報を所定の監視装置（読取装置）によって定期的に読み取る（確認する）ことで、不正行為を防止、抑止するようにしている。また、このようなＩＣタグは、分割構成される複数のケース部材に跨って貼付されており、基板状の不正な部品交換だけでなく、基板ボックス自体の不正開放も不可能なように構成されている（例えば、特許文献１参照）。
【特許文献１】特開２００４−１７４１１２号公報
【発明の開示】
【発明が解決しようとする課題】
【０００３】
しかし、上記のような構造からなる基板ボックスでは、例えばＩＣタグを貼付した状態で基板ボックスの搬送作業や取り付け作業を行った場合、何らかの衝撃や揺れにより、複数のケース部材が離れてしまったり、上下左右にずれを起こしたりすることが大いに考えられ、ＩＣタグが破壊されて通信不能となり、読み取りができなくなったり、再度ＩＣタグを貼付しなければならないという手間が生じることとなる。また、従来の基板ボックスにただＩＣタグを貼付するのではなく、上記のような不正開放や不正交換の防止を考慮したうえでＩＣタグを貼付する箇所、その構造を新たに設ける必要があり、部品点数が増え、コストや設計、開発作業負担の増加という問題にもつながる。
【０００４】
本発明の目的は、複数の電子部品を搭載した基板と、該基板を収納する基板ボックスと、を備えた遊技機において、搬送作業や取り付け作業時等の衝撃等によるＩＣタグの破損を防止することである。
【課題を解決するための手段】
【０００５】
以上の課題を解決するため、請求項１に記載の発明は、
複数の電子部品を搭載した基板と、該基板を収納する基板ボックスと、を備えた遊技機において、
前記基板ボックスは、
第１ボックス部材と、第２ボックス部材と、を備え、
前記第１ボックス部材と前記第２ボックス部材とを接合して前記基板を収納する収納空間を形成する閉鎖状態と、
前記第１ボックス部材と前記第２ボックス部材との接合を解除して前記収納空間を開放した開放状態と、に変換できるように構成され、
前記第１ボックス部材に固有の識別情報が記憶された固有識別情報記憶手段を備え、
前記第２ボックス部材に前記固有識別情報記憶手段を破壊するための破壊手段を備え、
前記閉鎖状態から前記開放状態に変換することに伴い、前記破壊手段が前記固有識別情報記憶手段を読み取り不能となるように破壊するようにしたことを特徴とする。
【０００６】
ここで、「固有識別情報記憶手段」は、例えば、アンテナ部および該アンテナ部を介してデータを送受信するとともに固有の識別情報を記憶するＩＣチップを有するＩＣタグである。
また、「読み取り不能となるように破壊する」とは、固有識別情報を読み出すことができないようにすることであって、例えば、固有識別情報記憶手段として上記のＩＣタグを用いた場合は、ＩＣチップとアンテナ部の何れか一方または両方を破壊することである。
【０００７】
請求項１に記載の発明によれば、第１ボックス部材に固有の識別情報が記憶された固有識別情報記憶手段を備え、第２ボックス部材に固有識別情報記憶手段を破壊するための破壊手段を備え、閉鎖状態から開放状態に変換することに伴い、破壊手段が固有識別情報記憶手段を読み取り不能となるように破壊するようにしたので、搬送作業や取り付け作業時等の衝撃等により、固有識別情報記憶手段が破損することを防止できる。すなわち、固有識別情報記憶手段が一方のボックス部材にのみ配され、閉鎖状態から開放状態に変換することに伴い、破壊手段が固有識別情報記憶手段を破壊するので、基板ボックスの搬送作業や取り付け作業を行う際に何らかの衝撃や揺れによりボックス部材どうしにずれが生じても、固有識別情報記憶手段が破壊されてしまうことがない。特に、開放方向以外へのずれによって固有識別情報記憶手段が破壊されることはない。また、固有識別情報記憶手段を破壊するための破壊手段６２を備えていることから、単に開封する際の力によって破壊される固有識別情報記憶手段に比べ強度の高い固有識別情報記憶手段を用いることもでき、開放方向へのずれによって固有識別情報記憶手段が破壊されることを防止できる。また、閉鎖状態から開放状態に変換することに伴い、破壊手段が固有識別情報記憶手段を破壊するので、不正な基板ボックスの開放や、内包される基板に対する不正行為を防止できる。
【０００８】
請求項２に記載の発明は、請求項１に記載の遊技機であって、前記第１ボックス部材は、前記閉鎖状態から前記開放状態に変換する際に前記第１ボックス部材に対して前記第２ボックス部材が移動する方向である開放方向に沿った第１壁部を備え、該第１壁部に前記固有識別情報記憶手段を取り付ける取付部を備え、
前記第２ボックス部材は、前記破壊手段として前記閉鎖状態において前記取付部と対向する位置に、前記取付部へ向かって延出する破壊用突起部を備え、
前記取付部における前記破壊用突起部と対応する位置に、該破壊用突起部を受け入れる案内部を、前記開放方向に沿って延在するように形成し、
前記閉鎖状態において前記取付部には、前記閉鎖状態から前記開放状態に変換する際に前記破壊用突起部が通過する位置に、前記案内部を覆うように前記固有識別情報記憶手段を配設し、
前記基板ボックスを前記閉鎖状態から前記開放状態に変換する際に、前記破壊用突起部が前記案内部に沿って移動して前記取付部に取り付けられた前記固有識別情報記憶手段を読み取り不能となるように破壊するようにしたことを特徴とする。
【０００９】
請求項２に記載の発明によれば、取付部における破壊用突起部と対応する位置に、該破壊用突起部を受け入れる案内部を開放方向に沿って延在するように形成し、閉鎖状態において取付部には開放状態に変換する際に破壊用突起部が通過する位置に、案内部を覆うように固有識別情報記憶手段を配設し、基板ボックスを開放状態に変換する際に、破壊用突起部が案内部に沿って移動して取付部に取り付けられた固有識別情報記憶手段を読み取り不能となるように破壊するようにしたので、搬送作業や取り付け作業時等の衝撃等により、固有識別情報記憶手段が破損することを防止できる。すなわち、基板ボックスを開放する方向に破壊用突起部が移動した場合にのみ固有識別情報記憶手段が破壊されるので、基板ボックスの搬送作業や取り付け作業を行う際に何らかの衝撃や揺れによりボックス部材どうしにずれが生じても、固有識別情報記憶手段が破壊されてしまうことがない。なお、基板ボックスを開放する方向に対しては、不正行為の防止のために固着手段等によりずれが生じないように固着されるため、このような構成としても不都合が生じることがない。また、案内部により破壊用突起部が案内されることで、閉鎖状態から開放状態に変換することに伴い、確実に固有識別情報記憶手段が破壊されるので、不正な基板ボックスの開放や、内包される基板に対する不正行為を防止できる。
【００１０】
請求項３に記載の発明は、請求項２に記載の遊技機であって、前記第２ボックス部材は、前記閉鎖状態で前記取付部が形成された前記第１ボックス部材の前記第１壁部を外側から覆う第２壁部を有し、
該第２壁部には、前記取付部における前記固有識別情報記憶手段の配設位置と対向する位置に、前記固有識別情報記憶手段を取り付けるための取付用開口部を、当該第２壁部を貫通するように形成し、
前記取付用開口部に、該取付用開口部を閉鎖して前記取付部に取り付けられた前記固有識別情報記憶手段を覆うカバー部材を着脱可能に取り付けたことを特徴とする。
【００１１】
請求項３に記載の発明によれば、第２ボックス部材は、閉鎖状態で取付部が形成された第１ボックス部材の第１壁部を外側から覆う第２壁部を有し、該第２壁部には、取付部における固有識別情報記憶手段の配設位置と対向する位置に、固有識別情報記憶手段を取り付けるための取付用開口部を、当該第２壁部を貫通するように形成したので、閉鎖状態で取付部に固有識別情報記憶手段を取り付けることができる。また、取付用開口部に、該取付用開口部を閉鎖して取付部に取り付けられた固有識別情報記憶手段を覆うカバー部材を着脱可能に取り付けたので、搬送作業や取り付け作業時等において固有識別情報記憶手段が破損することを防止できる。
【００１２】
請求項４に記載の発明は、請求項３に記載の遊技機であって、前記取付用開口部は、前記基板ボックスの外側へ向かって拡径するように形成されていることを特徴とする。
【００１３】
請求項４に記載の発明によれば、取付用開口部は、基板ボックスの外側へ向かって拡径するように形成されているので、固有識別情報記憶手段の取付作業が容易になる。
【００１４】
請求項５に記載の発明は、請求項４に記載の遊技機であって、前記取付用開口部は、前記破壊用突起部に対して前記開放方向側に形成されていることを特徴とする。
【００１５】
請求項５に記載の発明によれば、取付用開口部は、破壊用突起部に対して開放方向側に形成されているので、基板ボックスを閉鎖状態から開放状態に変換する際に破壊用突起部が通過する取付部の所定位置に固有識別情報記憶手段を閉鎖状態において配設することができる。
【００１６】
請求項６に記載の発明は、請求項５に記載の遊技機であって、前記案内部を、前記第１壁部を貫通するように複数形成し、
前記破壊用突起部は、
前記案内部を介して、前記第２ボックス部材から前記第１ボックス部材の内側へ延出する第１延出部と、
該第１延出部に連続し、該第１延出部が貫通する前記案内部以外の前記案内部を介して前記第１ボックス部材の内側から第２ボックス部材側へ延出する第２延出部と、を備えることを特徴とする。
【００１７】
請求項６に記載の発明によれば、案内部を、第１壁部を貫通するように複数形成し、破壊用突起部は、案内部を介して、第２ボックス部材から第１ボックス部材の内側へ延出する第１延出部と、該第１延出部に連続し、該第１延出部が貫通する案内部以外の案内部を介して第１ボックス部材の内側から第２ボックス部材側へ延出する第２延出部と、を備えるので、破壊用突起部が確実に案内部により案内されるようになり、閉鎖状態から開放状態に変換することに伴い、確実に固有識別情報記憶手段が破壊されるので、不正な基板ボックスの開放や、内包される基板に対する不正行為を防止できる。
【００１８】
請求項７に記載の発明は、請求項１から５の何れか一項に記載の遊技機であって、前記破壊用突起部は、
前記取付部側に突出し、前記開放状態への変換により前記固有識別情報記憶手段を破壊可能な突出状態と、
前記第２壁部側へ退縮し、前記開放状態への変換によっても前記固有識別情報記憶手段を破壊不能な退避状態と、に変換可能であり、付勢部材により前記突出状態となる方向に付勢されており、
前記破壊用突起部における前記取付用開口部側の側部に被係合部を形成し、
前記取付用開口部を閉鎖して前記取付部に取り付けられた前記固有識別情報記憶手段を覆う仮設カバー部材に、前記被係合部に係合する係合部を設け、
前記仮設カバー部材を、前記係合部が前記破壊用突起部の前記被係合部に係合した状態で前記取付用開口部に取り付けることで、前記破壊用突起部が退避状態に変換されるようにしたことを特徴とする。
【００１９】
請求項７に記載の発明によれば、破壊用突起部は、取付部側に突出した突出状態と、第２壁部側へ退縮した退避状態と、に変換可能であり、付勢部材により突出状態となる方向に付勢されており、破壊用突起部に被係合部を形成し、取付用開口部を閉鎖する仮設カバー部材に被係合部に係合する係合部を設け、仮設カバー部材を、係合部が破壊用突起部の被係合部に係合した状態で取付用開口部に取り付けることで、破壊用突起部が退避状態に変換されるので、搬送作業や取り付け作業時等の衝撃等により、固有識別情報記憶手段が破損することを防止できる。また、基板の検査時などにおいて仮設カバー部材を取り付けた状態で基板ボックスを開放すれば、固有識別情報記憶手段を破壊せずに開放することができ、固有識別情報記憶手段を取り替える必要がなくなる。なお、遊技機の使用時には係合部を有しないカバー部材を取り付けることで、破壊用突起部は突出状態となり、基板ボックスを閉鎖状態から開放状態に変換することに伴い、固有識別情報記憶手段が破壊されるようになるので、不正な基板ボックスの開放や、内包される基板に対する不正行為を防止できる。
【発明の効果】
【００２０】
本発明によれば、第１ボックス部材に固有の識別情報が記憶された固有識別情報記憶手段を備え、第２ボックス部材に固有識別情報記憶手段を破壊するための破壊手段を備え、閉鎖状態から開放状態に変換することに伴い、破壊手段が固有識別情報記憶手段を読み取り不能となるように破壊するようにしたので、搬送作業や取り付け作業時等の衝撃等により、固有識別情報記憶手段が破損することを防止できる。すなわち、固有識別情報記憶手段が一方のボックス部材にのみ配され、閉鎖状態から開放状態に変換することに伴い、破壊手段が固有識別情報記憶手段を破壊するので、基板ボックスの搬送作業や取り付け作業を行う際に何らかの衝撃や揺れによりボックス部材どうしにずれが生じても、固有識別情報記憶手段が破壊されてしまうことがない。また、閉鎖状態から開放状態に変換することに伴い、破壊手段が固有識別情報記憶手段を破壊するので、不正な基板ボックスの開放や、内包される基板に対する不正行為を防止できる。
【発明を実施するための最良の形態】
【００２１】
以下、この発明の実施形態について図面を参照して説明する。ここでは、本発明にかかる遊技機の適例としてのパチンコ遊技機について説明を行う。図１には、遊技盤の裏面図を示した。なお、遊技盤の前面側には、ガイドレールで囲まれ、遊技球を発射して遊技を行う遊技領域が形成されている。また、遊技機２００の外枠であって島設備に固定される機枠や、遊技領域の前面を覆うクリア部材保持枠、遊技盤１を取り付ける前面枠、遊技領域の下側に設けられ遊技球を収容する上皿、下皿を有するとともに、遊技者が発射操作を行うための操作ハンドルを備えた操作パネルなどは図示を省略している。
【００２２】
遊技盤１は、平板状の遊技盤本体１ｂ（木製もしくは合成樹脂製）を備え、この遊技盤本体１ｂの裏面側に、各種部材が取り付けられる取付ベース２が取り付けられている。この取付ベース２の裏面における上側には、遊技機における演出を制御する演出制御装置などが取付けられており、その裏面側は裏面カバー３により覆われている。また、取付ベース２の裏面における下側には、遊技機の動作制御などを行うことで遊技の進行を統括的に制御する遊技制御装置１０（詳細後述）が基板ホルダ４を介して取り付けられている。
【００２３】
以下に、遊技制御装置１０について説明する。遊技制御装置１０は、遊技機２００の制御を行う遊技制御基板１１（図４参照）を基板ボックス１２に収納したものであって、取付ベース２に回動自在に軸着された基板ホルダ４に保持されて遊技盤１の背面側に取り付けられている。なお、遊技制御装置１０は遊技盤１の背面に取り付けられ、該遊技盤１が前面枠に取り付けられることで、遊技機２００の背面側から視認可能に配されている。よって、以下の説明では、図１に示すように、遊技機２００の背面側に配された遊技制御装置１０を遊技機２００の背面側から見た状態を基準として、遊技機２００の背面側から視認可能な面を前面（正面）、遊技盤１に取り付けられた側を後面とし、上下左右も遊技機２００の背面側から見た状態での上下左右とする。
【００２４】
図２から４に示すように、基板ボックス１２は、遊技制御装置１０の前面側を構成するとともに遊技制御基板１１を収納する第１ボックス部材２０と、後面側を構成する第２ボックス部材４０とを備えている。そして、これらにより形成される収納空間１３に遊技制御基板１１を収納することで遊技制御基板１１が基板ボックス１２に完全に内包された状態となり、遊技制御基板１１に対する不正行為を防止するようになっている。
【００２５】
遊技制御基板１１は、外形が略矩形状の基板であって、他の装置と接続するための複数のコネクタ１１ａ，１１ａ（一部を図示）が設けられているとともに、複数の電子部品１１ｂ，１１ｂ，…（一部を図示）が配されている。この遊技制御基板１１においては、例えば、大当たりの抽選や、遊技の進行制御などの遊技に関する種々の処理がなされるようになっている。さらに、この基板ボックス１２を構成する第１ボックス部材２０、第２ボックス部材４０は、透光性の合成樹脂で形成されており、内部に収納した遊技制御基板１１を視認可能となっている。
【００２６】
遊技制御装置１０の裏面側を形成する第１ボックス部材２０は、遊技制御装置１０の裏面をなす略矩形状の裏面壁２１と、該裏面壁２１の前面側に矩形状の領域を形成するように裏面壁２１に対して垂直に立設された第１周囲壁２２とを備えている。これら裏面壁２１と第１周囲壁２２とにより、遊技制御基板１１を収納可能な凹室状の第１収納部２３が形成される。
【００２７】
また、遊技制御装置１０の前面側を形成する第２ボックス部材４０は、遊技制御装置１０の前面をなす略矩形状の前面壁４１と、該前面壁４１の周囲を囲むように一側面側に垂直に突出し、該前面壁４１の裏面側に矩形状の領域を形成するように立設された第２周囲壁４２とを備えている。これら前面壁４１と第２周囲壁４２とにより、遊技制御基板１１を収納可能な凹室状の第２収納部４３が形成される。
【００２８】
この第１ボックス部材２０と第２ボックス部材４０は、遊技制御基板１１を第１収納部２３に収納した状態で、第１収納部２３と第２収納部４３の開口した側が対向する向きで組み合わせることで、図２，３に示すように、遊技制御基板１１を内部に収納した閉鎖状態となるようになっている。ここで、第２収納部４３を形成する第２周囲壁４２の内周は、第１収納部２３を形成する第１周囲壁２２の外周と略等しく、閉鎖状態では第２周囲壁４２が第１周囲壁２２の外側に重なって、第２収納部４３の内側に第１収納部２３が収納された状態となり、閉鎖された収納空間１３が形成される。
【００２９】
また、第１ボックス部材２０と第２ボックス部材４０には、閉鎖状態において遊技制御基板１１に設けられたコネクタ１１ａ，１１ａ…（一部を図示）と対応する位置に、コネクタ接続部２４，４４が形成されている。このコネクタ接続部２４，４４は、第１周囲壁２２を貫通するように形成された第１コネクタ接続部２４と、第２周囲壁４２を貫通するように形成された第２コネクタ接続部４４とからなる。この第１コネクタ接続部２４および第２コネクタ接続部４４は、基板ボックス１２を閉鎖状態とすることで遊技制御基板１１のコネクタが設けられた位置で一致するようになっており、これにより基板ボックス１２の外部からコネクタ１１ａ，１１ａ…に配線を接続するが可能となる。
【００３０】
また、第１ボックス部材２０と第２ボックス部材４０には、閉鎖状態で第１ボックス部材２０と第２ボックス部材４０とを固着するための固着手段７０が設けられている。この固着手段７０は、第１ボックス部材２０に設けられたかしめ受部７１と、第２ボックス部材４０に設けられたかしめ部７５とからなる。かしめ受部７１は、裏面壁２１の右側端から連結部７２を介して右方へ突出するように複数設けられている。また、各かしめ受部７１は上下方向に沿って並ぶように設けられている。この複数のかしめ受部７１のそれぞれには、ねじを螺合するねじ止め部７３が前後方向に沿って形成されている。また、かしめ部７５は、第２ボックス部材４０の右側に位置する第２周囲壁４２から連結部７６を介して右方へ突出するように複数設けられている。また各かしめ部７５は上下方向に沿って並ぶように設けられている。この複数のかしめ部７５のそれぞれには、かしめねじ７８を挿通する挿通孔が前後方向に沿って形成されている。
【００３１】
この複数のかしめ部７５と複数のかしめ受部７１は、基板ボックス１２を閉鎖状態とすることにより一対一で対向するように配される。この状態で、かしめ部７５の挿通孔に挿通したかしめねじ７８を対向するかしめ受部７１のねじ止め部７３に螺合する。かしめねじ７８は一方向（螺合方向）にしか廻せないワンウェイねじであり、一旦螺合すると取り外すことができないものであって、これにより、第１ボックス部材２０と第２ボックス部材４０が固着されるようになっている。
【００３２】
また、以上のように固着された第１ボックス部材２０と第２ボックス部材４０の固着を解除する場合は、第１ボックス部材４０と隣設するかしめ受部７１から固着に使用したかしめ受部７１を切り離すように連結部７２を切断する。もしくは、第２ボックス部材４０と隣設するかしめ部７５から固着に使用したかしめ部７５を切り離すように連結部７６を切断する。すなわち、一度固着されたかしめ部７５とかしめ受部７１の固着を解除することができないので、基板ボックス１２を開封する際には、このように固着手段７０を不可逆的に破壊して開封する必要がある。これにより、基板ボックス１２が容易に開封できなくなるとともに開封された履歴が残るようになり、不正行為を防止できる。また、このように開封した後に再び固着する場合は、未使用のかしめ部７５とかしめ受部７１を用いて上述した固着作業を行う。
【００３３】
また、第１ボックス部材２０と第２ボックス部材４０には、基板ボックス１２が開封されていないことを容易に確認できるようにするための開封確認手段６０が設けられている。この開封確認手段６０は、アンテナ部および該アンテナ部を介してデータを送受信するとともに固有の識別情報を記憶するＩＣチップを有する固有識別情報記憶手段をなすＩＣタグ６１を備える。また、ＩＣタグ６１を取り付ける取付部２５と、基板ボックス１２が閉鎖状態から開放状態に変換された際にＩＣタグ６１を破壊する破壊手段６２を備える。
【００３４】
第１ボックス部材２０の第１周囲壁２２には、閉鎖状態において第２周囲壁４２と対向する面にＩＣタグ６１を取り付けるための取付部２５が設けられている。なお、第１周囲壁２２は、基板ボックス１２を閉鎖状態から開放状態に変換する際に第１ボックス部材２０に対して第２ボックス部材４０が移動する方向である開放方向をなす前後方向に沿って形成されている。すなわち、第１周囲壁２２が、基板ボックス１２を閉鎖状態から開放状態に変換する際に、第１ボックス部材２０に対して第２ボックス部材４０が移動する方向である開放方向に沿った第１壁部をなす。そして、この第１壁部をなす第１周囲壁２２に固有識別情報記憶手段をなすＩＣタグ６１を取り付ける取付部２５が備えられている。また、取付部２５には溝状の案内部２６が形成されている。この溝状の案内部２６も開放方向をなす前後方向に沿って延在するように形成されている。
【００３５】
また、図５に示すように、第２ボックス部材４０の第２周囲壁４２には、閉鎖状態において取付部２５と対向する面であって溝状の案内部２６と対応する位置に、破壊手段６２をなす二つの破壊用突起部４５が左右方向に並ぶように形成されている。この破壊用突起部４５は、取付部２５に取り付けられたＩＣタグ６１を破壊することができるように、取付部２５側に向かって突出するように形成されているとともに、先端部が尖った形状とされている。また、先端部の第２周囲壁４２からの突出幅は、閉鎖状態において先端部が溝状の案内部２６に収容されるような突出幅となっている。すなわち、先端部の第２周囲壁４２からの突出幅は、第２周囲壁４２から取付部２５に取り付けられたＩＣタグ６１までの距離よりも長く、取付部２５に取り付けられたＩＣタグ６１を確実に破壊できるようになっている。
【００３６】
また、第２ボックス部材４０の第２周囲壁４２には、閉鎖状態において取付部２５と対向する位置であって破壊用突起部４５に対して開放方向側となる位置に取付用開口部４６が形成されている。この取付用開口部４６は、閉鎖状態において取付部２５にＩＣタグ６１を取り付けるためのものであって、第２周囲壁４２を貫通するように形成されている。また、取付用開口部４６は基板ボックス１２の外側へ向かって拡径するように形成されており、取付部２５にＩＣタグ６１を取り付ける作業が容易になるようにされている。また、この取付用開口部４６には、カバー部材６３が取り付けられるようになっている。このカバー部材６３は、第２周囲壁４２の厚みと略同じ厚みを有するとともに、基板ボックス１２の外側に拡径するように形成された取付用開口部４６の形状に合わせて形成されており、取付用開口部４６にちょうど嵌るようになっている。また、カバー部材６３における基板ボックス１２の外側に位置する側にはねじ止め部６３ａ，６３ａが形成されており、第２周囲壁４２の外側の面にねじによって着脱可能に固定できるようにされている。
【００３７】
以上のことから、第２ボックス部材４０は、閉鎖状態で取付部２５が形成された第１ボックス部材２０の第１壁部（第１周囲壁２２）を外側から覆う第２壁部（第２周囲壁４２）を有し、該第２壁部には、取付部２５における固有識別情報記憶手段（ＩＣタグ６１）の配設位置と対向する位置に、固有識別情報記憶手段を取り付けるための取付用開口部４６を、当該第２壁部を貫通するように形成し、取付用開口部４６に、該取付用開口部４６を閉鎖して取付部に取り付けられた固有識別情報記憶手段を覆うカバー部材６３を着脱可能に取り付けたこととなる。
【００３８】
また、取付用開口部４６は、基板ボックス１２の外側へ向かって拡径するように形成されていることとなる。
【００３９】
また、取付用開口部４６は、破壊用突起部４５に対して開放方向側に形成されていることとなる。
【００４０】
図６には、基板ボックス１２を開放状態から閉鎖状態とする際の作業の手順を示した。基板ボックス１２を閉鎖状態とする際には、まず、遊技制御基板１１を第１ボックス部材２０の第１収納部２３に収納した状態で、図６（ａ）に示すように、第２ボックス部材４０を前方から取り付ける。これにより、図６（ｂ）に示すように、第２収納部４３が第１収納部２３を収納するように重なり、遊技制御基板１１が基板ボックス１２に内包された閉鎖状態となる。この閉鎖状態とする過程においては、破壊用突起部４５の先端部は溝状の案内部２６内を前端から後端へ移動する。このためＩＣタグ６１は、基板ボックス１２を閉鎖状態とした後に取り付ける必要がある。
【００４１】
図６（ｂ）に示す状態では、取付用開口部４６が取付部２５と対向する位置にあって、取付用開口部４６を介して取付部２５が基板ボックス１２の外側に臨む状態となっており、この状態で図６（ｃ）に示すように、取付部２５にＩＣタグ６１を取り付ける。このとき、ＩＣタグ６１は取付部２５に形成された溝状の案内部２６を覆うように取り付ける。これにより、ＩＣタグ６１が破壊用突起部４５に対して開放方向側に配されることとなり、基板ボックス１２を閉鎖状態から開放状態に変換する際には破壊用突起部４５がＩＣタグ６１を破壊することとなる。なお、一度取り付けたＩＣタグ６１は、取り外し作業を行うと破壊されて外部から固有識別情報を読み取ることができない状態となるようにされている。さらにこの後、カバー部材６３を取付用開口部４６に取り付けて取付用開口部４６を閉鎖する。なお、カバー部材６３はねじによって取り付けられ、第２ボックス部材４０に対して着脱可能となるように取り付けられる。また、基板ボックス１２を閉鎖状態とした後には、固着手段７０により第１ボックス部材２０と第２ボックス部材４０とを固着する作業も行う。
【００４２】
以上のように、固有識別情報記憶手段をなすＩＣタグ６１を一方のボックス部材である第１ボックス部材２０にのみ配したので、基板ボックス１２の搬送作業や取り付け作業を行う際に何らかの衝撃や揺れによりボックス部材どうしにずれが生じても、ＩＣタグ６１が破壊されてしまうことはない。特に、開放方向以外へのずれによってＩＣタグ６１が破壊されることはない。また、開放方向へのわずかなずれによってもＩＣタグ６１が破壊されることはない。ＩＣタグ６１を破壊するための破壊手段６２を備えていることから、単に開封する際の力によって破壊されるＩＣタグ６１に比べ強度の高いＩＣタグ６１を用いることもでき、開放方向へのずれによってＩＣタグ６１が破壊されることを防止できる。さらに、基板ボックス１２を開放する方向に対しては、不正行為の防止のために固着手段７０等によりずれが生じないように固着されるため、開放方向へのずれによってＩＣタグ６１が破壊されることはない。また、取付用開口部４６に、該取付用開口部４６を閉鎖して取付部２５に取り付けられたＩＣタグ６１を覆うカバー部材６３を着脱可能に取り付けたので、搬送作業や取り付け作業時等における接触によりＩＣタグ６１が破損することもない。
【００４３】
このように閉鎖状態とされた基板ボックス１２を開放状態とする際には、まず、固着手段７０による固着を解除する。そして、第１ボックス部材２０に対して第２ボックス部材４０を開放方向に移動させる。このとき、破壊用突起部４５が溝状の案内部２６に沿って前側へ（開放方向側へ）移動し、取付部２５において溝状の案内部２６を覆うように取り付けられたＩＣタグ６１を読み取り不能となるように破壊する。これにより、記憶された固有識別情報を外部から読み取ることができない状態となる。なお、破壊する部分は、固有の識別情報が記憶されたＩＣチップと、外部の装置と固有の識別情報の通信を行うためのアンテナ部の何れか一方または両方である。
【００４４】
すなわち、基板ボックス１２が開封されていなければＩＣタグ６１に記憶された固有識別情報を外部から読み取ることができ、開封されるとＩＣタグ６１に記憶された固有識別情報を外部から読み取ることができなくなる。これにより、開封確認手段６０によって基板ボックス１２が開封されているか否かを簡単に確認できるようになる。
【００４５】
なお、遊技制御基板１１の検査などのために基板ボックス１２を開封するとＩＣタグ６１が破壊されてしまうため、再度閉鎖する場合は破壊されたＩＣタグ６１を取り除き、閉鎖状態とした後に別のＩＣタグ６１を取り付ける。また、このとき取り付けるＩＣタグ６１には、例えば、検査済みである旨の情報や、開封に関する情報（回数や日時など）を記憶したものを取り付けるようにすることが好ましい。また、遊技制御基板１１を収納する基板ボックス１２について説明したが、その他の制御基板を収納する基板ボックスについて本発明を適用するようにしても良い。また、閉鎖状態では第２周囲壁４２が第１周囲壁２２の外側に重なって、第２収納部４３の内側に第１収納部２３が収納された状態となるとしたが、これに限られるものではない。すなわち、少なくとも閉鎖状態で第１ボックス部材２０における取付部２５が形成された第１壁部をなす所定個所と、第２ボックス部材４０における破壊手段６２が形成された第２壁部をなす所定個所とが対向して重なっていればよい。よって、第１壁部が基板ボックス１２の内側で第２壁部が基板ボックス１２の外側にあるとした位置関係が逆であっても良いし、両方とも外側に位置していても良い。
【００４６】
また、開封確認手段６０に隣接する位置に、または、開封確認手段６０に、基板ボックス１２を閉鎖状態から開放状態に変換する際に第１ボックス部材２０と第２ボックス部材４０とが離れないようにする離隔防止手段を設けるようにしても良い。この離隔防止手段としては、例えば、第２ボックス部材４０側に係合部を設け、第１ボックス部材２０側の対応する位置には、係合部を係合した状態で開放方向に沿って案内するように開放方向に沿って平行に形成した被係合部を設けるようにする。このような離隔防止手段を設けることで、開放状態への変換の際に破壊手段６２によりＩＣタグ６１が確実に破壊されるようになる。また、開放状態への変換の際に第２ボックス部材４０を第１ボックス部材２０から引き離し、破壊手段６２がＩＣタグ６１に接触しないようにしてＩＣタグ６１の破壊を逃れようとする不正行為を防止できる。また、このような離隔防止手段を備えなくても開封確認手段６０を基板ボックス１２の角部にもしくは角部に隣接して設けることで、第２ボックス部材４０を第１ボックス部材２０から引き離しにくくなり、不正行為を防止することができる。
【００４７】
以上のことから、複数の電子部品１１ｂ，１１ｂ，…を搭載した基板（遊技制御基板１１）と、該基板を収納する基板ボックス１２と、を備えた遊技機２００において、基板ボックス１２は、第１ボックス部材２０と、第２ボックス部材４０と、を備え、第１ボックス部材２０と第２ボックス部材４０とを接合して基板を収納する収納空間１３を形成する閉鎖状態と、第１ボックス部材２０と第２ボックス部材４０との接合を解除して収納空間１３を開放した開放状態と、に変換できるように構成され、第１ボックス部材２０に固有の識別情報が記憶された固有識別情報記憶手段（ＩＣタグ６１）を備え、第２ボックス部材４０に固有識別情報記憶手段を破壊するための破壊手段６２を備え、閉鎖状態から開放状態に変換することに伴い、破壊手段が固有識別情報記憶手段を読み取り不能となるように破壊するようにしたこととなる。
【００４８】
また、第１ボックス部材２０は、閉鎖状態から開放状態に変換する際に第１ボックス部材２０に対して第２ボックス部材４０が移動する方向である開放方向に沿った第１壁部（第１周囲壁２２）を備え、該第１壁部に固有識別情報記憶手段（ＩＣタグ６１）を取り付ける取付部２５を備え、第２ボックス部材４０は、破壊手段６２として閉鎖状態において取付部２５と対向する位置に、取付部２５へ向かって延出する破壊用突起部４５を備え、取付部２５における破壊用突起部４５と対応する位置に、該破壊用突起部４５を受け入れる案内部２６を、開放方向に沿って延在するように形成し、閉鎖状態において取付部２５には、閉鎖状態から開放状態に変換する際に破壊用突起部４５が通過する位置に、案内部２６を覆うように固有識別情報記憶手段を配設し、基板ボックス１２を閉鎖状態から開放状態に変換する際に、破壊用突起部４５が案内部２６に沿って移動して取付部２５に取り付けられた固有識別情報記憶手段を読み取り不能となるように破壊するようにしたこととなる。
【００４９】
また、第２ボックス部材４０は、閉鎖状態で取付部２５が形成された第１ボックス部材２０の第１壁部（第１周囲壁２２）を外側から覆う第２壁部（第２周囲壁４２）を有し、該第２壁部には、取付部２５における固有識別情報記憶手段（ＩＣタグ６１）の配設位置と対向する位置に、固有識別情報記憶手段を取り付けるための取付用開口部４６を、当該第２壁部を貫通するように形成し、取付用開口部４６に、該取付用開口部４６を閉鎖して取付部に取り付けられた固有識別情報記憶手段を覆うカバー部材６３を着脱可能に取り付けたこととなる。
【００５０】
次に、上述した実施形態の遊技機の第１変形例について図７から１１を参照して説明する。なお、基本的には、上述の実施形態の遊技機と同様の構成を有しており、以下、同様の構成を有する部分については同じ符号を付して説明を省略し、主に異なる部分について説明する。本変形例の遊技機は、基板ボックスの開閉方法が異なる。
【００５１】
本変形例の基板ボックス８０は、第１ボックス部材２０に対して第２ボックス部材４０を前後方向に組み合わせた後、第１ボックス部材２０に対して第２ボックス部材４０を左右方向に沿ってスライドさせることで閉鎖状態となるようにされている。すなわち、基板ボックス８０を閉鎖状態から開放状態に変換する際に第１ボックス部材２０に対して第２ボックス部材４０が移動する方向である開放方向には前後方向と左右方向とが含まれる。
【００５２】
図７に示すように、第２ボックス部材４０の第２周囲壁４２における外側の面には、第１ボックス部材２０と第２ボックス部材４０との接合を案内するための構成として、スライド係合部８１が側方へ突出するように設けられている。また、第１ボックス部材２０には、第１ボックス部材２０と第２ボックス部材４０との接合を案内するための構成として、スライド係合部８１と対応する位置に該スライド係合部８１を受け入れて案内するＬ字状のスリット８３が形成されたスライド係合受部８２が形成されている。Ｌ字状のスリット８３は、前方に開口するように一端部が位置しており、ここから前後方向に沿って後方へ延在し、さらに直角に左方へ屈折して左右方向に沿って延在するように形成されている。よって、このスリット８３に沿ってスライド係合部８１を移動させることで基板ボックス８０を開閉できるようになっている。
【００５３】
また、固有識別情報記憶手段をなすＩＣタグ６１を取り付ける取付部２５に形成された溝状の案内部２６も基板ボックス８０の開閉方法に合わせて、前後方向に延在する第１案内部８４と、該第１案内部８４に連続して左方に延在する第２案内部８５とからＬ字状になるように構成されている。ここで、第２ボックス部材４０に形成された破壊手段６２をなす二つの破壊用突起部４５は、前後方向に沿って並ぶように形成されている。よって、案内部２６のうち、前後方向に沿って延在する第１案内部８４は一条となっているが、左右方向に沿って延在する第２案内部８５は二条となっている。また、第２ボックス部材４０に形成される取付用開口部４６は、閉鎖状態において取付部２５と対向する位置であって、破壊用突起部４５に対して開放方向側となる位置である破壊用突起部４５の右方に形成されている。
【００５４】
図１０には、このような構成を有する基板ボックス８０を開放状態から閉鎖状態とする際の作業の手順を示した。基板ボックス８０を閉鎖状態とする際には、まず、遊技制御基板１１を第１ボックス部材２０の第１収納部２３に収納した状態で、図１０（ａ）、（ｂ）に示すように、第２ボックス部材４０を前方から取り付ける。このとき、スライド係合部８１をスライド係合受部８２のスリット８３に挿入するように取り付けることで、破壊用突起部４５も第１案内部８４に挿入されるとともに溝状の第１案内部８４内を前端から後端へ移動する。
【００５５】
その後、図１０（ｃ）に示すように、第１ボックス部材２０に対して第２ボックス部材４０を左方にスライドさせることで、第２収納部４３が第１収納部２３を収納するように重なり、図８，９に示すように、遊技制御基板１１が基板ボックス８０に内包された閉鎖状態となる。この閉鎖状態とする過程においては、破壊用突起部４５の先端部は溝状の第２案内部８５内を右端から左端へ移動する。このためＩＣタグ６１は、基板ボックス１２を閉鎖状態とした後に取り付ける必要がある。
【００５６】
閉鎖状態では取付用開口部４６が取付部２５と対向する位置にあって、取付用開口部４６を介して取付部２５が基板ボックス８０の外側に臨む状態となっており、この状態で図１０（ｄ）に示すように、取付部２５にＩＣタグ６１を取り付ける。このとき、ＩＣタグ６１は取付部２５に形成された溝状の案内部２６のうち第２案内部８５を覆うように取り付ける。これにより、ＩＣタグ６１が破壊用突起部４５に対して開放方向側に配されることとなり、基板ボックス８０を閉鎖状態から開放状態に変換する際には破壊用突起部４５がＩＣタグ６１を破壊することとなる。さらにこの後、カバー部材６３を取付用開口部４６に取り付けて取付用開口部４６を閉鎖する。なお、カバー部材６３はねじによって取り付けられ、第２ボックス部材４０に対して着脱可能となるように取り付けられる。また、基板ボックス８０を閉鎖状態とした後には、固着手段７０により第１ボックス部材２０と第２ボックス部材４０とを固着する作業も行う。
【００５７】
このように閉鎖状態とされた基板ボックス８０を開放状態とする際には、まず、固着手段７０による固着を解除する。そして、第１ボックス部材２０に対して第２ボックス部材４０を右方向へ移動させる。このとき、破壊用突起部４５が溝状の第２案内部８５に沿って右側へ（開放方向側へ）移動し、取付部２５において溝状の第２案内部８５を覆うように取り付けられたＩＣタグ６１を破壊する。これにより、記憶された固有識別情報を外部から読み取ることができない状態となる。その後、第１ボックス部材２０に対して第２ボックス部材４０を前方向へ移動させることで開放状態とすることができる。
【００５８】
なお、上述の実施形態の場合と同様に、二つの破壊用突起部４５を左右方向に沿って並ぶように形成しても良く、この場合は第１案内部８４を二条とし、第２案内部８５は一条とする。このようにすれば、閉鎖状態において破壊用突起部４５がＩＣタグ６１から退避した場所に収納されるようになるため、搬送作業や取り付け作業時等の衝撃等により、固有識別情報記憶手段が破損することをより確実に防止できる。つまり、第１ボックス部材２０に対して第２ボックス部材４０が単に前後、左右、上下にずれただけではＩＣタグ６１が破壊されることがなく、基板ボックス８０を開封する際の動作である、左右方向にスライドした後に前後方向にスライドするという二段階のスライド動作によってのみＩＣタグ６１が破壊されるようになる。
【００５９】
すなわち、基板ボックス８０を閉鎖状態から開放状態に変換する際に第１ボックス部材２０に対して第２ボックス部材４０を第１の方向に移動した後、該第１の方向とは異なる第２の方向に移動することで開放状態となるように構成し、第２の方向に移動した際に破壊手段６２が固有識別情報記憶手段を読み取り不能となるように破壊するようにしても良い。
【００６０】
また、図１１に示すように、本変形例の基板ボックス８０において、第２ボックス部材４０の第２収納部４３に内壁８６を形成するようにしても良い。この内壁８６は、前面壁４１の裏面から垂直に後方へ延出するように上下方向に沿って形成されている。また内壁８６は、基板ボックス８０を開放状態から閉鎖状態とする際に第１ボックス部材２０に対して第２ボックス部材４０をスライド移動する側である左側にある第２周囲壁４２から、左右方向へのスライド幅の分だけ離れた位置に形成されている。また内壁８６は、上下の第２周囲壁４２の内面とは第１周囲壁２２の厚みの分だけ間隔をおいて形成されている。
【００６１】
この内壁８６は、第１ボックス部材２０に対して第２ボックス部材４０を前方から取り付けた際に、第１収納部２３の内側に挿入される。このとき、第２周囲壁４２の内面と内壁８６の端部の間に第１周囲壁２２が挿入される。その後、第１ボックス部材２０に対して第２ボックス部材４０を左方にスライドさせ閉鎖状態とすると、左側にある第１周囲壁２２の右側に隣接して配される。これにより、基板ボックス８０の左端部において、第１ボックス部材２０と第２ボックス部材４０との間から収納空間１３に収納された遊技制御基板１１を不正に操作するための部材等が挿入されることを防止できる。
【００６２】
次に、上述した実施形態の遊技機の第２変形例について図１２から１４を参照して説明する。なお、基本的には、上述の実施形態の遊技機と同様の構成を有しており、以下、同様の構成を有する部分については同じ符号を付して説明を省略し、主に異なる部分について説明する。本変形例の遊技機は、開封確認手段６０の構成が異なる。
【００６３】
本変形例の基板ボックス９０は、上述の実施形態の基板ボックス１２と同様に、基板ボックス９０を閉鎖状態から開放状態に変換する際には、第１ボックス部材２０に対して第２ボックス部材４０を前後方向に沿って移動させるようになっている。すなわち、開放方向は前後方向となっている。
【００６４】
図１２に示すように、取付部２５に形成された案内部２６は、開放方向である前後方向に沿って延在するよう形成されている。また、案内部２６は、左右に隣接するように、左案内部９１、中案内部９２、右案内部９３の三条が形成されている。さらに、各案内部９１，９２，９３は、第１周囲壁２２を貫通するようにスリット状に形成されている。また、図１４に示すように、破壊手段６２をなす破壊用突起部４５は、第２周囲壁４２から第１ボックス部材２０側へ向かって延出する第１延出部９４と、該第１延出部９４の左右に連続するように形成された第２延出部９５，９５を有し、第２ボックス部材４０の前方から見て略Ｗ字状に形成されている。
【００６５】
このような案内部２６及び破壊用突起部４５を有する基板ボックス９０を図１３に示すように閉鎖状態とすると、図１４に示すように第１延出部９４が三条ある案内部のうち中案内部９２に挿入され、第１ボックス部材２０の内側に突出するようになる。また、第１延出部９４の左右にある第２延出部９５，９５は、第１ボックス部材２０の内側から三条ある案内部のうち左案内部９１、右案内部９３のそれぞれに挿入されて第２ボックス部材４０側へ突出するようになる。
【００６６】
これらの破壊用突起部４５をなす第１延出部９４及び第２延出部９５，９５は、閉鎖状態において、取付部２５に各案内部９１，９２，９３を覆うように取り付けられたＩＣタグ６１と上下に重なるように配されている。よって、第１ボックス部材２０に対して第２ボックス部材４０を開放方向に移動させると、第１延出部９４及び第２延出部９５，９５が各案内部９１，９２，９３に沿って前側へ（開放方向側へ）移動し、取付部２５に取り付けられたＩＣタグ６１を破壊する。これにより、記憶された固有識別情報を外部から読み取ることができない状態となる。このような構成とすることで、破壊用突起部４５が確実に案内部２６により案内されるようになり、閉鎖状態から開放状態に変換することに伴い、確実に固有識別情報記憶手段をなすＩＣタグ６１が破壊されるので、不正な基板ボックス９０の開放や、内包される基板に対する不正行為を確実に防止できる。
【００６７】
以上のことから、案内部２６を、第１壁部（第１周囲壁２２）を貫通するように複数形成し、破壊用突起部４５は、案内部２６を介して、第２ボックス部材４０から第１ボックス部材２０の内側へ延出する第１延出部９４と、該第１延出部９４に連続し、該第１延出部９４が貫通する案内部２６以外の案内部２６を介して第１ボックス部材２０の内側から第２ボックス部材４０側へ延出する第２延出部９５と、を備えたこととなる。
【００６８】
なお、開封確認手段６０の別の構成として、破壊手段６２をなす破壊用突起部４５を、第２周囲壁４２から第１ボックス部材２０側へ向かって延出する第１延出部と、該第１延出部の左右に突出するように連続する第２延出部とから構成し、第２ボックス部材４０の前方から見て略Ｔ字状に形成する。さらに、破壊用突起部４６の突出方向側の先端には、固有識別情報記憶手段をなすＩＣタグ６１を読み取り不能となるように破壊する構成を備えるようにする。また、第１周囲壁２２の取付部２５に形成する案内部２６を、上述のような構成を有する破壊用突起部４５がちょうど嵌るように第１ボックス部材２０の前方から見て略Ｔ字状に形成する。この案内部２６は、前後方向に沿って延在し、かつ、第１周囲壁２２の前端に開口するようにする。また、案内部２６は第１収納部２３内には貫通せず、第２ボックス部材４０と対向する面には、第１延出部は通過可能であるが該第１延出部の左右に突出した第２延出部は通過できない幅の間隙部を備えるようにする。
【００６９】
このような構成を備えた開封確認手段６０では、基板ボックスが閉鎖状態では略Ｔ字状の破壊用突起部４５が略Ｔ字状の案内部２６に嵌って係合した状態となる。この閉鎖状態で取付用開口部４６および略Ｔ字状の案内部２６に形成される間隙部を介してＩＣタグ６１を案内部２６内に取り付ける。なお、案内部２６内におけるＩＣタグ６１の取り付け位置は、破壊用突起部４５におけるＩＣタグ６１を破壊する構成を備えた突出方向側の先端と対向する位置とする。
【００７０】
このような構成によっても、第１ボックス部材２０に対して第２ボックス部材４０を開放方向に移動させると、破壊用突起部４５が案内部２６に沿って前側へ（開放方向側へ）移動し、ＩＣタグ６１が読み取り不能となるように破壊される。特に、破壊用突起部４５が案内部２６に係合した状態となっているので、開放状態とする際に第２ボックス部材４０を第１ボックス部材２０から引き離してＩＣタグ６１の破壊を逃れようとする不正行為を防止できる。なお、このような構成を有する開封確認手段６０を基板ボックスの角部に備えることで、より第２ボックス部材４０を第１ボックス部材２０から引き離しにくくなり、不正行為をより確実に防止することができる。
【００７１】
次に、上述した実施形態の遊技機の第３変形例について図１５、１６を参照して説明する。なお、基本的には、上述の実施形態の遊技機と同様の構成を有しており、以下、同様の構成を有する部分については同じ符号を付して説明を省略し、主に異なる部分について説明する。本変形例の遊技機は、開封確認手段６０の構成が異なる。
【００７２】
本変形例の基板ボックス１００は、上述の実施形態の基板ボックス１２と同様に、基板ボックス１００を閉鎖状態から開放状態に変換する際には、第１ボックス部材２０に対して第２ボックス部材４０を前後方向に沿って移動させるようになっている。すなわち、開放方向は前後方向となっている。
【００７３】
図１６に示すように、破壊手段６２をなす破壊用突起部４５は、上述の実施形態における基板ボックス１２と同様に、第２ボックス部材４０の第２周囲壁４２における、閉鎖状態において取付部２５と対向する面であって溝状の案内部２６と対応する位置に左右方向に並ぶように二つ形成されている。この破壊用突起部４５は、第２周囲壁４２に上下方向に沿って形成された取付用凹部１０２と、取付用凹部１０２に付勢部材１０３とともに配された突出部材１０４とから構成されている。そして、突出部材１０４が取付部２５側に突出した突出状態と、第２周囲壁４２側へ退縮した退避状態と、に変換可能となっており、常時、付勢部材１０３によって突出状態となる方向である上方向に付勢されている。なお突出状態では、突出部材１０４が取付部２５側に突出して先端部が溝状の案内部２６に収容されて、基板ボックス１００の開放状態への変換により固有識別情報記憶手段をなすＩＣタグ６１を破壊可能な状態となる。また、退避状態では、突出部材１０４が第２周囲壁４２側へ退縮し、基板ボックス１００開放状態への変換によってもＩＣタグ６１を破壊不能な状態となる。
【００７４】
また、突出部材１０４の取付用開口部４６側の側部には被係合部１０５が形成されている。この被係合部１０５には、取付用開口部４６に取り付けられる仮設カバー部材１０６に形成された係合部１０７が係合するようになっている。この仮設カバー部材１０６は、取付用開口部４６を閉鎖可能な大きさの板状の部材で、破壊用突起部４５が設けられた側に配される端部に、上述の突出部材１０４に形成された被係合部１０５と係合する係合部１０７が形成されている。
【００７５】
仮設カバー部材１０６は、例えば、遊技制御基板１１の検査時のように正規に基板ボックス１００を開封する場合に、ＩＣタグ６１を破壊することなく開封できるようにするためのものである。この仮設カバー部材１０６を取り付ける際には、まず図１６に示すように係合部１０７を被係合部１０５に係合するようにした状態で取付用開口部４６に挿入する。その後、図１６（ｂ）に示すように、仮設カバー部材１０６を取付用開口部４６に嵌め込む。この状態では仮設カバー部材１０６が図示しない固定手段により固定されるようになっており、破壊用突起部４５の突出部材１０４が退避状態で保持される。よって、この状態で基板ボックス１００を開封すればＩＣタグ６１を破壊せずに開封することができる。
【００７６】
なお、遊技機２００の使用時には係合部１０７を有しない上述したカバー部材６３を取り付けることで、破壊用突起部４５は突出状態となり、基板ボックス１００を閉鎖状態から開放状態に変換することに伴い、ＩＣタグ６１が破壊されるようになるので、不正な基板ボックス１００の開放や内包される基板に対する不正行為を防止できる。
【００７７】
以上のことから、破壊用突起部４５は取付部２５側に突出し、開放状態への変換により固有識別情報記憶手段（ＩＣタグ６１）を破壊可能な突出状態と、第２壁部（第２周囲壁４２）側へ退縮し、開放状態への変換によっても固有識別情報記憶手段を破壊不能な退避状態と、に変換可能であり、付勢部材１０３により突出状態となる方向に付勢されており、破壊用突起部４５における取付用開口部４６側の側部に被係合部１０５を形成し、取付用開口部４６を閉鎖して取付部２５に取り付けられた固有識別情報記憶手段を覆う仮設カバー部材１０６に、被係合部１０５に係合する係合部１０７を設け、仮設カバー部材１０６を、係合部１０７が破壊用突起部４５の被係合部１０５に係合した状態で取付用開口部４６に取り付けることで、破壊用突起部が退避状態に変換されるようにしたこととなる。
【００７８】
以上のような遊技機２００は、複数の電子部品１１ｂ，１１ｂ，…を搭載した基板（遊技制御基板１１）と、該基板を収納する基板ボックス１２と、を備えた遊技機２００であって、基板ボックス１２は、第１ボックス部材２０と、第２ボックス部材４０と、を備え、第１ボックス部材２０と第２ボックス部材４０とを接合して基板を収納する収納空間１３を形成する閉鎖状態と、第１ボックス部材２０と第２ボックス部材４０との接合を解除して収納空間１３を開放した開放状態と、に変換できるように構成され、第１ボックス部材２０に固有の識別情報が記憶された固有識別情報記憶手段（ＩＣタグ６１）を備え、第２ボックス部材４０に固有識別情報記憶手段を破壊するための破壊手段６２を備え、閉鎖状態から開放状態に変換することに伴い、破壊手段が固有識別情報記憶手段を読み取り不能となるように破壊するようにしている。
【００７９】
したがって、第１ボックス部材２０に固有の識別情報が記憶された固有識別情報記憶手段を備え、第２ボックス部材４０に固有識別情報記憶手段を破壊するための破壊手段を備え、閉鎖状態から開放状態に変換することに伴い、破壊手段６２が固有識別情報記憶手段を読み取り不能となるように破壊するようにしたので、搬送作業や取り付け作業時等の衝撃等により、固有識別情報記憶手段が破損することを防止できる。すなわち、固有識別情報記憶手段が一方のボックス部材にのみ配され、閉鎖状態から開放状態に変換することに伴い、破壊手段が固有識別情報記憶手段を破壊するので、基板ボックス１２の搬送作業や取り付け作業を行う際に何らかの衝撃や揺れによりボックス部材どうしにずれが生じても、固有識別情報記憶手段が破壊されてしまうことがない。特に、開放方向以外へのずれによって固有識別情報記憶手段が破壊されることはない。また、固有識別情報記憶手段を破壊するための破壊手段６２を備えていることから、単に開封する際の力によって破壊される固有識別情報記憶手段に比べ強度の高い固有識別情報記憶手段を用いることもでき、開放方向へのずれによって固有識別情報記憶手段が破壊されることを防止できる。また、閉鎖状態から開放状態に変換することに伴い破壊手段が固有識別情報記憶手段を破壊するので、不正な基板ボックス１２の開放や、内包される基板に対する不正行為を防止できる。
【００８０】
また、第１ボックス部材２０は、閉鎖状態から開放状態に変換する際に第１ボックス部材２０に対して第２ボックス部材４０が移動する方向である開放方向に沿った第１壁部（第１周囲壁２２）を備え、該第１壁部に固有識別情報記憶手段（ＩＣタグ６１）を取り付ける取付部２５を備え、第２ボックス部材４０は、破壊手段６２として閉鎖状態において取付部２５と対向する位置に、取付部２５へ向かって延出する破壊用突起部４５を備え、取付部２５における破壊用突起部４５と対応する位置に、該破壊用突起部４５を受け入れる案内部２６を、開放方向に沿って延在するように形成し、閉鎖状態において取付部２５には、閉鎖状態から開放状態に変換する際に破壊用突起部４５が通過する位置に、案内部２６を覆うように固有識別情報記憶手段を配設し、基板ボックス１２を閉鎖状態から開放状態に変換する際に、破壊用突起部４５が案内部２６に沿って移動して取付部２５に取り付けられた固有識別情報記憶手段を読み取り不能となるように破壊するようにしている。
【００８１】
したがって、取付部２５における破壊用突起部４５と対応する位置に、該破壊用突起部４５を受け入れる案内部２６を開放方向に沿って延在するように形成し、閉鎖状態において取付部２５には開放状態に変換する際に破壊用突起部４５が通過する位置に、案内部２６を覆うように固有識別情報記憶手段を配設し、基板ボックス１２を開放状態に変換する際に、破壊用突起部４５が案内部２６に沿って移動して取付部２５に取り付けられた固有識別情報記憶手段を読み取り不能となるように破壊するようにしたので、搬送作業や取り付け作業時等の衝撃等により、固有識別情報記憶手段が破損することを防止できる。すなわち、基板ボックス１２を開放する方向に破壊用突起部４５が移動した場合にのみ固有識別情報記憶手段が破壊されるので、基板ボックス１２の搬送作業や取り付け作業を行う際に何らかの衝撃や揺れによりボックス部材どうしにずれが生じても、固有識別情報記憶手段が破壊されてしまうことがない。なお、基板ボックス１２を開放する方向に対しては不正行為の防止のために固着手段７０等によりずれが生じないように固着されるため、このような構成としても不都合が生じることがない。また、案内部２６により破壊用突起部４５が案内されることで、閉鎖状態から開放状態に変換することに伴い、確実に固有識別情報記憶手段が破壊されるので、不正な基板ボックス１２の開放や、内包される基板に対する不正行為を防止できる。
【００８２】
また、第２ボックス部材４０は、閉鎖状態で取付部２５が形成された第１ボックス部材２０の第１壁部（第１周囲壁２２）を外側から覆う第２壁部（第２周囲壁４２）を有し、該第２壁部には、取付部２５における固有識別情報記憶手段（ＩＣタグ６１）の配設位置と対向する位置に、固有識別情報記憶手段を取り付けるための取付用開口部４６を、当該第２壁部を貫通するように形成し、取付用開口部４６に、該取付用開口部４６を閉鎖して取付部に取り付けられた固有識別情報記憶手段を覆うカバー部材６３を着脱可能に取り付けている。
【００８３】
したがって、第２ボックス部材４０は、閉鎖状態で取付部２５が形成された第１ボックス部材２０の第１壁部を外側から覆う第２壁部を有し、該第２壁部には、取付部２５における固有識別情報記憶手段の配設位置と対向する位置に、固有識別情報記憶手段を取り付けるための取付用開口部４６を、当該第２壁部を貫通するように形成したので、閉鎖状態で取付部２５に固有識別情報記憶手段を取り付けることができる。また、取付用開口部４６に、該取付用開口部４６を閉鎖して取付部２５に取り付けられた固有識別情報記憶手段を覆うカバー部材６３を着脱可能に取り付けたので、搬送作業や取り付け作業時等において固有識別情報記憶手段が破損することを防止できる。
【００８４】
また、取付用開口部４６は、基板ボックス１２の外側へ向かって拡径するように形成されている。
【００８５】
したがって、取付用開口部４６は、基板ボックス１２の外側へ向かって拡径するように形成されているので、固有識別情報記憶手段の取付作業が容易になる。
【００８６】
また、取付用開口部４６は、破壊用突起部４５に対して開放方向側に形成されている。
【００８７】
したがって、取付用開口部４６は、破壊用突起部４５に対して開放方向側に形成されているので、基板ボックス１２を閉鎖状態から開放状態に変換する際に破壊用突起部４５が通過する取付部２５の所定位置に固有識別情報記憶手段を閉鎖状態において配設することができる。
【００８８】
また、案内部２６を、第１壁部（第１周囲壁２２）を貫通するように複数形成し、破壊用突起部４５は、案内部２６を介して、第２ボックス部材４０から第１ボックス部材２０の内側へ延出する第１延出部９４と、該第１延出部９４に連続し、該第１延出部９４が貫通する案内部２６以外の案内部２６を介して第１ボックス部材２０の内側から第２ボックス部材４０側へ延出する第２延出部９５と、を備えている。
【００８９】
したがって、案内部２６を、第１壁部を貫通するように複数形成し、破壊用突起部４５は、案内部２６を介して、第２ボックス部材４０から第１ボックス部材２０の内側へ延出する第１延出部９４と、該第１延出部９４に連続し、該第１延出部９４が貫通する案内部２６以外の案内部２６を介して第１ボックス部材２０の内側から第２ボックス部材４０側へ延出する第２延出部９５と、を備えるので、破壊用突起部４５が確実に案内部２６により案内されるようになり、閉鎖状態から開放状態に変換することに伴い、確実に固有識別情報記憶手段が破壊されるので、不正な基板ボックス９０の開放や、内包される基板に対する不正行為を防止できる。
【００９０】
また、破壊用突起部４５は、取付部２５側に突出し、開放状態への変換により固有識別情報記憶手段（ＩＣタグ６１）を破壊可能な突出状態と、第２壁部（第２周囲壁４２）側へ退縮し、開放状態への変換によっても固有識別情報記憶手段を破壊不能な退避状態と、に変換可能であり、付勢部材１０３により突出状態となる方向に付勢されており、破壊用突起部４５における取付用開口部４６側の側部に被係合部１０５を形成し、取付用開口部４６を閉鎖して取付部２５に取り付けられた固有識別情報記憶手段を覆う仮設カバー部材１０６に、被係合部１０５に係合する係合部１０７を設け、仮設カバー部材１０６を、係合部１０７が破壊用突起部４５の被係合部１０５に係合した状態で取付用開口部４６に取り付けることで、破壊用突起部が退避状態に変換されるようにしている。
【００９１】
したがって、破壊用突起部４５は、取付部２５側に突出した突出状態と、第２壁部側へ退縮した退避状態と、に変換可能であり、付勢部材１０３により突出状態となる方向に付勢されており、破壊用突起部４５に被係合部１０５を形成し、取付用開口部４６を閉鎖する仮設カバー部材１０６に被係合部１０５に係合する係合部１０７を設け、仮設カバー部材１０６を、係合部１０７が破壊用突起部４５の被係合部１０５に係合した状態で取付用開口部４６に取り付けることで、破壊用突起部４５が退避状態に変換されるので、搬送作業や取り付け作業時等の衝撃等により、固有識別情報記憶手段が破損することを防止できる。また、基板の検査時などにおいて仮設カバー部材１０６を取り付けた状態で基板ボックス１２を開放すれば、固有識別情報記憶手段を破壊せずに開放することができ、固有識別情報記憶手段を取り替える必要がなくなる。なお、遊技機の使用時には係合部１０７を有しないカバー部材を取り付けることで、破壊用突起部４５は突出状態となり、基板ボックス１００を閉鎖状態から開放状態に変換することに伴い、固有識別情報記憶手段が破壊されるようになるので、不正な基板ボックス１００の開放や内包される基板に対する不正行為を防止できる。
【００９２】
なお、本発明の遊技機２００は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【００９３】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９４】
【図１】本発明を適用した一実施の形態の構成を示す遊技盤の裏面図である。
【図２】遊技制御装置の下面図である。
【図３】遊技制御装置の前面側から見た斜視図である。
【図４】遊技制御装置の前面側から見た分解斜視図である。
【図５】図２に示すＡ−Ａ断面を示す断面図である。
【図６】遊技制御装置を開放状態から閉鎖状態とする際の過程を説明する図である。
【図７】第１変形例の遊技機における遊技制御装置の前面側から見た分解斜視図である。
【図８】第１変形例の遊技機における遊技制御装置の下面図である。
【図９】図８に示すＢ−Ｂ断面を示す断面図である。
【図１０】第１変形例の遊技機における遊技制御装置を開放状態から閉鎖状態とする際の過程を説明する図である。
【図１１】第１変形例の遊技機における遊技制御装置の変形例を示す前面側から見た分解斜視図である。
【図１２】第２変形例の遊技機における基板ボックスの前面側から見た分解斜視図である。
【図１３】第２変形例の遊技機における遊技制御装置の下面図である。
【図１４】図１３に示すＣ−Ｃ断面を示す断面図である。
【図１５】第３変形例の遊技機における遊技制御装置の下面図である。
【図１６】図１５に示すＤ−Ｄ断面において、仮設カバー部材を取り付ける過程を説明するための図である
【符号の説明】
【００９５】
１      遊技盤
１１    遊技制御基板（基板）
１１ａ  コネクタ
１１ｂ  電子部品
１２    基板ボックス
１３    収納空間
２０    第１ボックス部材
２２    第１周囲壁（第１壁部）
２５    取付部
２６    案内部
４０    第２ボックス部材
４２    第２周囲壁（第２壁部）
４５    破壊用突起部
４６    取付用開口部
６１    ＩＣタグ（固有識別情報記憶手段）
６２    破壊手段
６３    カバー部材
９０    基板ボックス
９４    第１延出部
９５    第２延出部
１００  基板ボックス
１０３  付勢部材
１０５  被係合部
１０６  仮設カバー部材
１０７  係合部
２００  遊技機
【図１】
2010063742.tif 000003
【図２】
2010063742.tif 000004
【図３】
2010063742.tif 000005
【図４】
2010063742.tif 000006
【図５】
2010063742.tif 000007
【図６】
2010063742.tif 000008
【図７】
2010063742.tif 000009
【図８】
2010063742.tif 000010
【図９】
2010063742.tif 000011
【図１０】
2010063742.tif 000012
【図１１】
2010063742.tif 000013
【図１２】
2010063742.tif 000014
【図１３】
2010063742.tif 000015
【図１４】
2010063742.tif 000016
【図１５】
2010063742.tif 000017
【図１６】
2010063742.tif 000018